(57)【特許請求の範囲】
【請求項１】
原稿給送通路内での原稿シート給送停止を検出する装置を備え、複数の原稿シートを原稿給送通路を通して原稿入力部から電子像形成部へ順次送り込み、原稿ページイメージとしてディジタル的かつ電子的に電子画素で像形成し、像形成後、原稿シートを電子像形成部から送り出す、原稿取扱い／ディジタル像形成装置において、
簡単化したジョブ回復装置が設けられ、該ジョブ回復装置が、
前記原稿給送通路を通して前記電子像形成部へ送られ、電子的に像形成された原稿のディジタル電子ページイメージを示す目印を生成して格納する生成格納装置と、
前記原稿給送通路内で検出されたシート給送停止に応答して、原稿給送通路から原稿シートを除去するようにオペレータに指示し、たとえその除去した原稿シートが電子的に像形成された原稿シートであっても前記原稿給送通路を通して原稿入力部から電子像形成部へ再給送して電子的に像形成するように前記除去した原稿シートを原稿入力部に再装填するようにオペレータに指示するための、オペレータディスプレイとを備え、
前記生成格納装置は、更に、前記原稿給送通路を通して前記電子像形成部へ再給送された原稿のディジタル電子ページイメージを示す目印を生成して格納しており、
更に、前記生成格納装置に接続されていて、検出したシート給送停止前の原稿のディジタル電子イメージを示す、格納された目印と、原稿給送通路を通して電子像形成部へ前記再給送された原稿のディジタル電子イメージを示す目印とを自動的に比較して、重複ディジタル電子イメージを検出し、重複電子原稿ページイメージを自動的に削除する重複電子イメージ信号を与える重複電子原稿イメージ検出装置を包含する、
ことを特徴とする装置。
【請求項２】
請求項１に記載の装置において、前記生成格納装置が、異なる原稿シートについて互いに異なるディジタル原稿イメージを示す目印を与えるように、画素値をカウントする装置を有することを特徴とする装置。
【請求項３】
請求項１に記載の装置において、前記生成格納装置が、ページイメージの複数のセル領域内の画素の値をそれぞれカウントし、最下位の数字を削除してそれぞれのディジタル原稿イメージを示す目印を与える画素値カウント装置を有することを特徴とする装置。
【発明の詳細な説明】
【０００１】
【産業上の利用分野】
本発明は、原稿の給送ミスまたはジャムが起きた場合にジョブを回復する簡単化したオペレータ命令と動作を含む、電子原稿像形成のため自動的に原稿を給送する技術の改良と、１画素づつページイメージを比較する必要がなく、重複電子原稿像形成を識別するより効率的な自動電子装置に関するものである。
【０００２】
本発明は、典型的な実施例において、電子的に像形成すべき原稿シートを自動給送するディジタル原稿像形成装置において原稿取扱い装置のジャム、その他の停止が起きた場合に、オペレータのジョブ回復行動およびエラーを少なくする、または無くす装置および方法を開示する。開示した装置は、既に走査されたまたは他の方法でディジタル的に像形成された原稿の重複電子イメージを、重複電子イメージ検出装置によって電子的に識別し、間違ったまたは意図しない重複電子イメージを自動的に除去する方式を採用している。開示した装置は、再走査のための手動原稿セット再順序付けを大幅に簡単化するので、生産性と操作の簡潔性が向上する。開示した重複電子イメージ検出装置は、電子ページの電子的検索と比較のためたくさんのバッファや追加メモリ、およびコンピュータ時間を必要とするフルイメージページ比較を行う必要がない。
【０００３】
開示した装置は、複数の実際の原稿シートセットの便利なディジタル複写またはファクシミリ伝送のほか、ＰＣ端末または他の電子処理、および（または）遠隔ネットワーキング、および（または）送信印刷のためそれらを電子イメージ走査するディジタル多機能装置に特に役に立つが、それらに限定されない。
【０００４】
【従来の技術】
セットの完全性を保つ原稿セットジョブ回復は、別に原稿送り装置として知られる原稿取扱い装置では重要な問題である。もしジョブ回復が完全に正しく行われなければ、そのあと、その原稿のジョブセットからごちゃまぜの、すなわち非丁合いコピーが印刷されることになろう。用語「ジョブ回復」は、一般に、シートジャム、その他の原因でジョブ入力の実行中に原稿送り装置が停止するさまざまな状況（それらに限定されない）に対し、シート給送停止が検出された後に取らなければならない行動をいう。ジョブ回復は、一般に、どの原稿、原稿給送通路内のどの場所から、どんなページまたはシート順序または再順序で、再複写すべき原稿をどのように、どこに再装填し、再給送するかを、電子表示パネルでオペレータに命令することを含む。
【０００５】
通常は、全原稿セットが完全に走査される前に、原稿取扱い装置の故障またはジャムが停止を要求した場合は、オペレータは一定の原稿シートを入力トレー内の原稿スタックへ手動で戻し、シート面１（または両面原稿取扱い装置が両面原稿を取り扱っている場合はシート面２）の向きを再順序付けすることを含め、それらの原稿シートを正しく手動で順序付けすなわち再スタックしてジョブ回復をする必要がある。そのあと、原稿取扱い装置は、複写を再開する前に、ジャムしたシート位置に再び達するまで原稿スタックを始めから給送し、カウントする必要がある。
【０００６】
もしオペレータが原稿セット（原稿通路のさまざまな部分から回復したすべてのシートを含む）を元の形態へ完全に正しく戻し、完全に複写された最後の原稿ページのすぐあとのシートから複写を正しく再開すれば、ジョブは正しく回復される。しかし、オペレータの間違い、時間がかかること、等のために、原稿再順序付けプロセスは時々混乱する。ジョブ回復は、特に両面原稿（反転を必要とする）を像形成すなわち複写していた場合には、非常に複雑になることがある。複雑なジョブ回復は、特に原稿通路のさまざまな場所に止まった原稿をさまざまなやり方で取り扱わなければならない場合には、複雑な、すなわち複数の、または逐次的な、またはその両方の命令をディスプレイ上でオペレータに与える必要がある。それに関しては、米国特許第４，７８６，０４１０号（１９８８年１１月２２日発行）を参照されたい。また、複製装置のジョブ回復装置に関しては、米国特許第４，３３８，０２３０号（１９８２年７月６日発行）、同第５，１４８，２８６号（１９９２年９月１５日発行）、同第５，１０７，２９９号（１９９２年４月１２日発行）、同特許出願第０８／１５０，３２７号（１９９３年１１月９日出願）を参照されたい。ジョブ回復装置が一般的に具体化されている複写機マイクロプロセッサソフトウェアプログラム制御装置が、多くの特許文献、例えばゼロックス社の米国特許第４，４７５，１５６号（１９８４年１０月２日発行）に記載されている。
【０００７】
【発明が解決しようとする課題】
シートのジャムまたは給送ミスの回避およびそこからの適切な回復は、あらゆる原稿取扱い装置または複製装置にとって重要であるが、イメージ入力部と同じ場所にないために、出力（印刷されたコピー）のエラーを検査することがふかのな遠隔のスキャナ、ファックス、または多機能装置にとって特に重要である。もしジョブ回復が完全に適切に行われなければ、非丁合いの、ページの欠けた、または重複するページの原稿セットが電子的に格納され、または伝送され、またはその両方が行われ、すべての印刷場所においてその原稿のジョブセットから正しくない、ごちゃごちゃにまざった、すなわち非丁合いのコピーが印刷されるであろう。もし印刷が遠隔かつ複数の場所で行われれば、ジョブ回復のエラーは、すべての印刷場所で全印刷が実行された後でしか検出されないかもしれない。製本セットの場合は、製本した欠陥プリントは破棄しなければならない。従って、ディジタル複写機、スキャナ、および（または）ファクシミリ（または複数モードを組み合わせた上記の諸装置）で片面または両面から正しい通しページ順に電子的に像形成すべき片面および両面原稿シートをより確実に自動的に給送し、像形成する場合に、開示した実施例は特に有益である。
【０００８】
原稿の複雑な手動再順序付けに関する従来の要求とは対照的に、この開示した装置では、停止が発生した時点に原稿取扱い装置のシート通路内に実際に見られる数枚の原稿を一か所で普通に交換するだけであることを、オペレータに単に命令することができる。
【０００９】
コンパクトな、簡単な構造の、低価格の、しかし信頼性の高い原稿送り装置を用いて、ディジタル複写機、スキャナ、および（または）ファクシミリ（または複数モードを組み合わせた上記の諸装置）において、片面または両面から正しい格納された通しページ順に電子的に像形成すべき片面および両面原稿シートをより確実に、自動的に給送し、像形成する場合に、開示した実施例は特に有利である。
【００１０】
開示した装置は、再走査のための手動原稿セットの再順序付け（ジョブ回復）を大幅に簡単化するために、既に走査した原稿（文書）を重複イメージ検出装置で識別することが必要である。開示した装置は、重複（ふとしたことで再走査される）ページの自動電子検出能力によって、原稿取扱い装置のシート通路から停止した、すなわちジャムしたページをオペレータは非常に簡単に再装填することができるばかりでなく、装置はそのあと重複走査電子ページを正しく自動的に再順序付けすることもできるし、無視することもできる。しかし、特に要望されているのは、フルページイメージ比較（これには、数メガバイトのバッファメモリと、ページのフルイメージの電子的検索および比較のために追加メモリとコンピュータ計算時間が必要である）を必要としない装置である。この後者の問題も本発明によって解決される。
【００１１】
光レンズ式複写機では、手動で取り扱って検査するか、あるいはすべてのコピーを廃棄し、入力すべき全原稿を再装填してやり直す以外に、原稿取扱い装置の入力部において交換した原稿のどれが既に完全に走査されたかを知る方法がないので、ここに開示した簡単化した装置は不可能であろう。しかし、主題の装置および方法は、ディジタル原稿像形成装置における迅速かつ安価な自動重複ページイメージ除去をできるようにする。これは、ここに開示したやり方または他のやり方で、走査時または走査後に各原稿ページ（または両面原稿の場合は原稿面）について、電子的に効率的にイメージを識別、記述、および（または）比較する装置によって実施することができ、そのあと、回復プロセスにおいて、そのページを既に走査されたものと認識して、重複を除去し、ジョブ回復を大幅に簡単化することができる。
【００１２】
上記およびその他の文献は、ジョブ回復装置を記載しているほか、さまざまな周知の原稿および（または）コピーシートのジャム検出装置、および信号通知装置またはオペレータ表示装置を記載しているので、ここでそれらの文献を詳しく説明する必要はない。ジャム検出装置は、一般に、シート縁検出器すなわちセンサまたはセンサの間を割り当てた時間間隔または許容時間間隔内に、移動シートの前縁および（または）後縁の不通過を検出する必要がある。その能力を備えた通常の制御装置に通常に接続された原稿取扱い装置の図示例に、シート通路センサの例を示してある。電子的原稿像形成のために自動的に原稿を給送し、像形成する典型的な原稿取扱い装置の実施例のこれ以上の詳細、および上記技術全般のこれ以上の技術および情報については、米国特許第５，３３９，１３９号（１９９４年８月１６日発行）を参照されたい。開示した装置および方法は、原稿取扱い装置の特定の実施例に限定されるものではなく、さまざまな原稿像形成装置に使用することができる。それらは、どれか特定の形式の原稿取扱い装置やジャム検出／信号通知装置に限定されないし、またシート給送ジャムに限定されないし、何らかの理由による原稿セットすなわちジョブ給送中の原稿給送または像形成の中断、装置動力または論理回路の中断を含めることができる。
【００１３】
【課題を解決するための手段】
詳しく述べると、本発明は、一実施態様として、原稿ページを走査し、ディジタル画素のページイメージとして像形成する複数ページ丁合い済み原稿ディジタル電子複製方法を提供する。本方法は、走査した電子ページイメージを複数のセル領域に分割し、それぞれのセル領域内の画素をカウントし、それぞれのセル画素のカウントを格納し、次に、或る走査した電子ページイメージのそれぞれのセル画素のカウントと別の走査した電子ページイメージとを比較して、重複原稿ページ走査を自動的に検出する（それぞれのセル画素のカウントが実質上等しい場合）ことによって、たくさんの電子データ記憶装置を必要とせずに、重複電子ページイメージを検出して重複原稿ページ走査を自動的に検出するチェックサム方法を含んでいる。
【００１４】
本発明の別の実施態様として、複数の原稿シートを原稿給送通路を通して原稿入力部から電子像形成部へ順次送り込み、ディジタル的かつ電子的に電子画素で像形成し、そのあと電子像形成部から送り出すディジタル像形成方法を提供する。原稿給送通路内のシート給送停止は検出され、信号で知らされる。本方法は、前記シート給送停止の前に原稿給送通路を通して電子像形成部へ送り込まれ、電子的に像形成された原稿のディジタル電子イメージを示す電子目印を生成して格納する段階と、前記シート給送停止信号に応答して、原稿給送通路から原稿シートを除去し、除去した原稿シートを、既に電子的に像形成したかどうかに関係なく原稿入力部に再装填する段階と、除去した原稿シートを電子的に像形成するため原稿入力部から原稿給送通路を通して電子像形成部へ再給送する段階と、シート給送停止信号後に原稿給送通路を通して電子像形成部へ再給送され、電子的に像形成された前記除去した原稿シートの次の電子イメージを示す次の電子目印を生成する段階と、前記信号給送停止信号前の電子イメージを示す前記電子目印と、前記シート給送停止信号後に像形成した前記除去した原稿の次の電子イメージを示す次に生成した電子目印とを自動的に電子的に比較して、重複ディジタル電子原稿ページイメージを検出する段階と、前記電子イメージを示す電子目印の比較に応答して、重複電子イメージを自動的に削除する重複電子イメージ除去信号を与える段階とから成る、簡単化されたジョブ回復方法を含んでいる。
【００１５】
本発明は、さらに別の実施態様として、原稿送り通路内の原稿シート給送停止を検出する装置を備え、複数の原稿シートを原稿給送通路を通して原稿入力部から電子像形成部へ順次送り込み、ディジタル的かつ電子的に電子画素で像形成し、像形成のあと電子像形成部から送り出す原稿取扱い／ディジタル像形成装置を提供する。本装置は、（ａ）原稿給送通路を通して電子像形成部へ送られ、電子的に像形成された原稿のディジタル電子ページイメージを示す電子目印を生成して格納するほかに、原稿給送通路を通して電子像形成部へ再給送された原稿の次のディジタル電子ページイメージを示す次の電子目印を電子的に生成して格納する装置と、（ｂ）原稿給送通路内で検出されたシート給送停止に応答して、原稿給送通路から原稿シートを除去し、たとえその除去した原稿シートが電子的に像形成された原稿シートであっても原稿給送通路を通して原稿入力部から電子像形成部へ再給送して電子的に像形成するため、前記除去した原稿シートを原稿入力部に再装填するようにオペレータに命令するオペレータディスプレイと、（ｃ）前記ディジタル電子イメージを示す電子目印を生成して格納する装置に電子的に接続されていて、検出したシート給送停止前の原稿の前ディジタル電子イメージを示す前に記憶した電子目印と、原稿給送通路を通して電子像形成部へ再給送された前記除去された原稿の次のディジタル電子イメージとを自動的に比較して、重複ディジタル電子イメージを検出し、重複電子原稿ページイメージを自動的に削除する重複電子イメージ除去信号を与える重複電子原稿イメージ検出装置から成る簡単化したジョブ回復装置を備えている。電子像形成部へ給送された原稿のディジタル電子イメージを示す電子目印を生成し記憶する装置は、異なる原稿シートについて互いに異なるディジタル原稿イメージを示す特有の電子目印を与える画素合計装置を含んでいる。電子像形成部へ給送された原稿のディジタル電子イメージを示す電子目印を生成し記憶する装置は、たくさんの電子データ記憶装置を必要とせずに、ページイメージの複数の定義されたセル領域内の画素の数をそれぞれに合計し、最下位の数字を削除してそれぞれのディジタル原稿イメージを示す特有の数字の電子目印を与える画素加算装置を有する。或る走査した電子ページイメージのセル画素カウントと別の走査した電子ページイメージのセル画素のカウントとを比較する前に、前記それぞれのセル画素のカウントの最下位の数字が四捨五入される。前記電子イメージを示す電子目印を自動的に電子的に比較して重複ディジタル電子イメージを検出する装置は、互いに異なるディジタル電子原稿イメージを示す特有の電子目印を与える画素合計装置を有する。前記画素合計装置では、たくさんの電子データ記憶装置を必要とせずに、電子イメージを示す特有の数字の電子目印を与えるために、電子的に像形成された原稿について画素グレースレールの最下位の数字が削除され、残っている画素グレースケールが加算される。
【００１６】
【実施例】
図１に、前に引用した米国特許第５，３３９，１３９号に記載されている装置に似た、電子複写機および（または）スキャナ用の上述の有益な特徴を有する典型的な原稿取扱い装置／ディジタル像形成装置１０を示す。
【００１７】
典型的な原稿取扱い装置／ディジタル像形成装置１０は、電子像形成装置用のほとんどすべての原稿取扱い装置に使用できるので、この特定の原稿取扱い装置とその原稿送り装置および原稿給送通路は単なる一例である。開示した典型的な原稿取扱い装置１０は望ましい短い小形ループ原稿通路を有する。装置１０は、さらに、出力トレー内のスタック上面にわたって、かつ入力トレーの下にコンパクトに配置された両面シート反転器シュートによって「即時」型両面原稿反転、すなわち２つのトレー間の空間を用いて両面原稿の反転を行う。このコンパクトな軽量の原稿取扱い装置１０は、転換可能なディジタル複写機／スキャナ装置（図示せず）のオプションすなわち増設ジョブモジュール１１の一部であってもよい。原稿取扱い装置では普通であり、かつ一般的であるが、大きな（原稿サイズ）像形成プラテンを露出させ、原稿をプラテンの上に手動で置くことができるように、原稿取扱い装置１０はモジュール１１の後部の旋回軸に沿って旋回できることが望ましい。ここでは、プラテン１２は同様にモジュール１１の一部であるラスター入力スキャナ（ＲＩＳ）１４によって走査できる大きなプラテン部分１２ａを有する。プラテン１２とＲＩＳ１４を含む全走査（入力）モジュール１１は、その下に置かれた処理装置すなわちプリンタ装置を独立型ディジタルプリンタとして、または遠隔電子入力のための遠隔ディジタルプリンタとして選択して使用できるように、取外し可能なジョブモジュールであることが望ましい。原稿取扱い装置１０を含む上部モジュール１１はディジタルプリンタ装置上に取り付けられているので、この合体した装置は、臨時のオペレータであっても、原稿１８を原稿入力トレー２０に置き、それらを像形成部１６で自動的に複写することによって、ディジタル複写機でなく通常の光レンズ式複写機であるかのように簡単に使用することができる自動原稿給送付きの完全に合体した便利な複写機になることができる。選択的に、像形成部１６（プラテン１２ａ）の同じ原稿入力部を使用して容易にファクシミリ伝送をすることができる。その場合には、原稿１８は同様にＲＩＳ１４によって同様に電子的に像形成されるが、そのあと電子記憶装置またはバッファリングを使用して（または使用せずに）電話線、その他の通信手段に通して送信される。ディジタル複写機の上部モジュール１１と原稿取扱い装置１０を取り付けできるディジタルプリンタまたは複写処理装置（それ自体は本発明の一部を構成せず、従って説明する必要はない）は、種々の既知の、通常の、または新型のどんな電子プリンタ装置でもよいので、ここにはディジタル複写機の上部モジュール１１と原稿取扱い装置１０の関連部分のみを示す。
【００１８】
原稿取扱い装置１０は、図示のように、原稿定速搬送（以下、ＣＶＴとも略称する）装置によって一定速度で像形成すべき原稿を給送し、スリット走査プラテン部分１２ｂの走査（スリット）像形成部１６を通過させる。この原稿取扱い装置１０が原稿を像形成している間、ＲＩＳ１４はこの像形成部１６に「パーキング」している。
【００１９】
次に、新規な装置の一例について説明する。このディジタルスキャナの原稿取扱い装置、またはどれか他の同様な装置におけるジョブ回復の簡単化は、原稿取扱い装置の停止すなわちジャムのあとジョブ回復のため行われる原稿シートの手動再順序付けを大幅に減らすことによって達成される。新規な装置は、ジャム検出によるなど、原稿取扱い装置が停止したあと、原稿取扱い装置の原稿給送通路から取り出したすべての原稿シートを簡単に再装填し、再給送することができる。原稿を再給送する際に、すべての再走査（ジャム前に首尾よく走査された前に走査した原稿のイメージ重複）が自動的に電子的に検出され、除去される。これは、非常に簡単な、低いデータ転送速度で、より低いビット使用量で、像形成されたページを比較する方法を用いて、自動的にしかしフルイメージ比較を必要とせずに、実行される。使用することができるそのような重複イメージ検出装置の一例は、あとで詳しく説明する「画素のチェックサム」方式、または「チェックサム」装置である。「ビットのチェックサム」方式自体は、種々のアプリケーションのためのＵＮＩＸに似た従来のコンピュータシステム製品において知られている。
【００２０】
本装置では、原稿取扱い装置のシート通路内にジャムが発生すると、オペレータはディスプレイによって、その時点に原稿通路内にある、すなわち捕捉されたすべての原稿（既に完全に出力トレーに放出された、または入力トレーからまだ給送されていない原稿ではない）を、原稿通路内で見られる同じ順序で、簡単に手動で入力トレーへ戻すように命令される。前に像形成された疑わしい原稿シートを含むすべての原稿シートは再装填され、再走査され、それらのイメージとそれぞれ走査された前のイメージとが電子的に比較される。もし走査されたイメージが以前に走査されていなければ、そのページのイメージは通常のやり方で処理される。しかし、重複イメージ（同じページの再走査）は自動的に電子的に検出され、自動的に除去される。両面モードの場合は、両面原稿の各面すなわちその両ページのイメージを走査して比較することを除き、片面モードの場合と同じプロセスを用いることができる。手動で原稿を再順序付けする必要がないので、このジョブ回復は非常に簡単である。さらに、出力トレー内の以前に走査され、放出された原稿を再装填し、再走査する必要がないので、原稿取扱い装置および原稿の磨耗は最小限度である。
【００２１】
前に述べたように、このようなスマートなジャム回復プロセスは、すべての原稿取扱い装置にとって重要であるが、普通はイメージ入力部と同一場所にないために出力（印刷されたコピー）のエラーを検査することができない遠隔のスキャナまたはファックスや多機能装置にとって特に価値がある。この開示したジョブ回復装置はジョブ回復後もおそらく正しいページ順序を維持する。さらに、ジョブ回復装置は原稿が重複する、またはミスする（走査しない）機会を減らす。さらに、ジョブ回復装置はオペレータのとまどいを減らし、ジャム回復時間を短縮し、不要な原稿取扱い装置の動作を省くことによって過大な磨耗を減らす。
【００２２】
さらに、このイメージ比較／重複イメージ除去方法に関して、非常にたくさんのメモリと時間を使うフルイメージ比較を避けるために、電子メモリ「チェックサム」の原理を効率的に使用することができる。図１において、実例として、画像処理装置１０２と並列に、画像処理装置１０２へ戻るループを有する重複イメージ検出装置１０４、画像処理装置１０２の出力へ接続された原稿イメージ記憶装置１０６、および重複イメージ検出装置１０４および既存の制御装置１００に接続しているジャム除去／ジョブ回復命令／表示装置１０８が、ＲＩＳ１４の走査イメージ信号出力に電気的に接続されている。
【００２３】
各原稿を走査するとき、ページイメージの定義された領域内の画素値のランニング合計を続けることができる。これは、黒を１と、白を０とする「チェックサム」カウント、すなわち画素グレイスケールカウントでもよい。このために、ページイメージを多数の小さい区域、セル、または領域（内部の画素は別個にカウントされる）に分割する固定格子オーバーレイすなわちチェッカー盤パターン（例えば、２cm  ×２ cm セル）によってページイメージを電子的に分割することが好ましい。装置は、或る整合隅（入ってくる、またはバッファされる）から画素のカウンティングを開始し、次のセル行までそのセル内の画素をカウントする。
【００２４】
高品質スキャナで走査したとき、各セル内の一部のカウントを四捨五入しても、同じ原稿ページから走査したものでない限り、２枚の走査されたシートがあるページと別のページのすべてのセル領域において厳密に同じビットのチェックサムを示すことは統計的に起こりそうでない。従って、もし比較した各セル内で同じチェックサムが見つかれば、重複ページイメージはジョブ回復の際に作られたと推定することができ、簡単に除去することができる、すなわち電子的に格納されるジョブと一緒に格納されない。すなわち、ジョブ回復の際に、格納されたチェックサムと新しく走査したチェックサムを１ページづつ比較して、一致するか否かを検査することができる。しかしながら、この１セルごとのカウント比較は、フルイメージ比較すなわち画素ごとのページイメージ比較よりはるかに効率がよいことは明らかである。
【００２５】
セルが小さければ小さいほど、より正確に比較することができる。明らかに、部分的に走査した（中断した）ページイメージはかなり異なる全画素カウントをもつであろうが、単一画素カウントがより小さい領域の複数のセルでなく全ページでできている場合には、もし重要でない数字を四捨五入すれば、完全に走査した非常に似たページは、似た画素カウントをもつことがある。以上のように、ページの個別領域の複数の個別チェックサムを用いることによって、よく似たページの重複イメージを検出することができる。すなわち、四捨五入は重要でなく、そしてそれらのより小さい領域内のより少ない数の画素のため、正確さに影響を及ぼすことはない。実際には、比較では小さい変動範囲を許すべきであるので、原稿整合の相違を許し、または記憶容量要求を減らして雑音に対する感受性を低減するために、最下位ビットカウントの一定の丸めは必要である。
【００２６】
各ページ走査についてこれらのセルのチェックサムの合計は、ジョブが完了するまで格納することができる、あるいはそのページのイメージデータと一緒に格納し、一緒にけた上げすることもできる。すなわち、画素チェックサムまたは他の独自の電子目印（完全に電子的に走査した原稿ページに対応するが、原稿ページでない）は、その特定の全ジョブすなわち原稿セットが給送され、走査されてしまうまで、一時的に格納する必要があるだけである。すなわち、入力トレーから出力トレーへすべての原稿を給送することによって原稿取扱い装置のその特定ランが終了したあと、各ページの画素カウントを削除することができる。ジョブセットの最終原稿の給送は、通常、それ以上シートが入力通路センサを通過しないことを検出することによって検出できる。しかし、所望ならば、その独自の電子目印カウント数または他の独自のページ識別子を保存し、格納することができる。例えば、独自の電子目印カウント数は、実際のページディジタルイメージに電子的に対応付けられ、そして一緒に格納し、伝送することができるそのページのページ記述言語（ＰＤＬ）の属性に付加し、他の目的に使用することもできる。例えば、独自の電子目印カウント数は、そのほか、ページイメージの面積と密度と対比したそのページのスキップ可能な「白スペース」の１つの簡単な指示として使用することができ、従ってその特定のページのディジタル記憶装置や伝送時間の必要量、等を推定するのに使用することができる。別の実例として、ゼロックス社の米国特許出願第０８／０６２，９７１号（１９９３年５月１７日出願）は、画素カウンティグを使用したトナー使用量の検出または予測を開示しており、そして米国特許第５，２０４，６９９号、同第５，２０４，６９８号、同第４，８４７，６５９号などの先行特許を引用している。これらの種々の機能は組み合わせて、エレクトロニクスを共用できることが望ましい。
【００２７】
検出された重複（再走査された）ページイメージは、データ圧縮の直前またはページイメージを圧縮して格納した直後に、ディスク記憶装置からそのアドレストラックのアドレスを抹消することによって、像形成バッファ記憶装置から自動的に削除することができる。
【００２８】
典型的な原稿取扱い装置／走査装置１０についてさらに詳しく説明する。開示した原稿定速搬送（ＣＶＴ）装置では、原稿を像形成している間、すべてのＣＶＴ原稿給送ローラー４６，４７，４８をサーボモーターＭ２などの同じモーターで同じ速度で一緒に駆動することができる。
【００２９】
２個の給送ロールの弾性表面は、共に給送すべき最も狭い原稿シートの幅の範囲中にあるように軸６８に沿って軸方向に間隔をおいて配置されている。
【００３０】
自動原稿入力を所望した場合は、原稿１８を表を上にして通常の順序で原稿取扱い装置１０の原稿入力トレー２０に装填することができる。次に、片面原稿が入力トレー２０内の原稿のスタックから短い比較的コンパクトなＵ字形原稿通路２４を通して順次送り出され、像形成部１６において像形成されたあと、直ちに原稿出力トレー２２へ送り込まれ、表を下にして積み重ねられる。しかし、両面原稿と比較すると、片面原稿の場合、原稿通路に若干の相違がある。これは、片面原稿通路２５を表す実線と両面原稿通路２６を表す点線で示してある。しかし、片面原稿と両面原稿は共に、複写終了後、同じやり方で同じ原稿出力トレー２２に放出され、積み重ねられる。
【００３１】
この実施例では、両面原稿通路２７の部分と像形成部１６を含む原稿通路２４内のすべての原稿シートの給送は、種々の原稿通路シート給送装置にそれぞれ連結された（一点鎖線で示す）２個の駆動モーターＭ１，Ｍ２だけで行われる。２個の駆動モーターＭ１，Ｍ２、ソレノイド２８、およびすべてのクラッチは制御装置１００によって制御される。制御装置１００は既知形式のものであってもよい。制御装置１００には、さらに、原稿通路２４，２７を通して給送される原稿シートの前縁および（または）後縁を検出するシート通路センサ、例えばセンサ３１，３２，３３，３４が通常のやり方で接続されている。従って、これらのシート通路センサは、起動させたとき、現在の原稿位置に関する信号を制御装置１００へ送る。原稿シートは既知の速度で動いているので、制御装置では既知のやり方で簡単に調時することにより事前にシートの位置を予測することができる。
【００３２】
ソレノイド２８は、入力トレー２０に装填された原稿のスタックの一番上のシートをその下のシートから分離して、順次Ｕ字形原稿通路２４に送り込むシート分離／給送装置３０の部分に接続されている。シート分離／給送装置３０は図示のようにモーターＭ１で駆動することができる。一番上のシート１８を能動遅延分離ニップに送り込むために、給送装置３０内に、ソレノイド２８によって周期的にスタック上面に押し下げられる押しロール３６が設置されている。ここでは、遅延ニップは被駆動給送ロール３７と非駆動遅延ロール３８で形成される。被駆動給送ロール３７は回転し、或る時点に一番上のシートを下流に原稿通路２４に送り込む、その時、次の（その下の）シートがニップを形成している摩擦遅延ロール３８によって遅延される。遅延ロール３８の下流方向の回転は、戻しばね３９によって抵抗される。ロール３７とロール３８が直かに接触しているとき（その間にシートがない）の高摩擦のため、ロール３８の下流方向の回転によって戻しばね３９が巻かれる。２枚以上のシートがロール３７と３８間の遅延ニップ内にあると、２つのロール間の摩擦に打ち勝つ程度に強く巻かれた戻しばね３９の力によって、その下のシートは上流方向に押し戻される。
【００３３】
上に述べたように、一番上のシートが分離され、原稿通路２４に送り込まれた後、シートは正規の原稿通路シート駆動装置４０に入る。このシート駆動装置４０と共にニップ形成しているアイドラロールも示してあるが、ここでは被駆動ロールについて説明する。原稿通路シート駆動ロールとしては、最初に取出しロール４２、その下流の整合ロール４４、（オプションとして、両者の間に中間シートスキュー除去用バックル室がある）、次の第１ＣＶＴロール４６、像形成部１６の上方にある第２シート押え用ＣＶＴロール４７、次の第３ＣＶＴロール４８、次に（旋回ゲート４９を通過した後）出力トレー２２への入口にある出口ニップ可逆ロール５０がある。
【００３４】
プラテン１２は２つの別個の部分１２ａ，１２ｂで構成されていることが好ましい。図示のように、主（フルサイズ）プラテン部分１２ａの斜めのプラテン縁５６と、端を突き合わせたプラテン部分１２ｂによって隙間５４ができる。この隙間５４はプラテン部分１２ｂの上面より下に延びた空間すなわち溝を提供し、その中にそらせ板リップ５２を固定することができる。従って、像形成部１６を通ってプラテン部分１２ｂの上に送られたすべての原稿の前縁は確実に捕捉されて上方へ偏向され、次の給送ニップに入る。
【００３５】
典型的なラスター入力スキャナ（ＲＩＳ）１４は、例えば、プラテンの直ぐ下で走査する高解像度の通常形式のダイオード型全幅アレイであってもよい。ＲＩＳ１４は周知の光ファイバー“selfoc”レンズを使用してもよい。前に述べたように、同じＲＩＳ１４をＣＶＴ入力として像形成部１６にパーキングさせてもよい。像形成部１６は、単一直線走査トラックの一端（主プラテン１２ａ上での走査に使用される同じ走査通路の僅かな延長部分）にあるので、必要空間が減り、構成部品が最小限度になる。
【図面の簡単な説明】
【図１】典型的な原稿送り装置によって原稿セットを給送し、電子的に走査する典型的なコンパクトな原稿取扱い装置と、典型的な電子重複イメージ検出装置のブロック図である。
【符号の説明】
１０  典型的な原稿取扱い装置／ディジタル像形成装置
１１  上部モジュール
１２  プラテン
１４  ラスター入力スキャナ（ＲＩＳ）
１６  像形成部
１８  原稿シート
２０  原稿入力トレー
２２  原稿出力トレー
２４  Ｕ字形原稿通路
２５  片面原稿通路
２６  両面原稿通路
２７  両面原稿通路
２８  ソレノイド
３０  シート分離／給送装置３０
３１，３２，３３，３４  センサ
３６  押しロール
３７  被駆動給送ロール
３８  非駆動遅延ロール
３９  戻しばね
４０  原稿通路シート駆動装置
４２  取出しロール
４４  整合ロール
４６，４７，４８  ＣＶＴ原稿給送ロール
４９  旋回ゲート
５０  可逆出口ニップロール
５２  そらせ板リップ
５４  隙間
５６  傾斜したプラテン縁
１００  制御装置
１０２  画像処理装置
１０４  重複イメージ検出装置
１０６  原稿イメージ圧縮記憶装置
１０８  ジャム除去／ジョブ回復命令／表示装置
【図１】
0003739449.tif 000002